Podtech/llm-jp-corpus-v4-ja_patent huggingface dataset:
(57)【要約】      （修正有）【課題】高さが約半分になり、ティッシュの残量が少なくなっても取り出し易くなるティッシュボックスを提供する。【解決手段】ティッシュボックスの四方側面壁真ん中の位置で周回する切り取り帯３を設け、ボックス上部１とボックス下部２に区分けして、切り取り帯３上の１ヵ所に切り取り摘み部４を設け、ボックス下部２の対角する２ヵ所の折り込み部を設けたことを特徴とする。ティッシュの残量が少なくなったら高さが約半分になって取り出し易くなる。【選択図】図１
0003204985.tif 000002
【実用新案登録請求の範囲】
【請求項１】
四角いティッシュボックスにおいて、四方側壁面の上下の真ん中位置を周回する幅をもった切り取り線、即ち切り取り帯を設けて、ボックス上部とボックス下部に区分してあり、切り取り帯上の四つの角のいずれか１か所に切り取り摘み部を設けてあることを特徴とする、ティッシュの残量が少なくなったら高さが約半分になって取り出し易くなるティッシュボックス。
【考案の詳細な説明】
【技術分野】
【０００１】  ティッシュボックスに関するものである。
【背景技術】
【０００２】  従来ある、クリネックスローションティッシュ、エリエール贅沢保温、鼻セレブ・・などのボックスは、高さが大体９ｃｍ位が多い。
【考案概要】
【考案が解決しようとする課題】
【０００３】  従来ある、クリネックスローションティッシュ、エリエール贅沢保温、鼻セレブ・・などのボックスは背丈が高すぎるためティッシュの残量が少なくなると深くて非常に取りにくくなる。
本考案は、以上の問題を解決するためになされたものである。
【課題を解決するための手段】
【０００４】  四角いティッシュボックスにおいて、四方側壁面の上下の真ん中位置を周回する幅をもった切り取り線、即ち切り取り帯を設けて、ボックス上部とボックス下部に区分してあり、切り取り帯上四つの角のいずれか１か所に切り取り摘み部を設けてある。ボックス下部の四つの角の対角する２か所に折り込み部を設けてある。中のティシュ量が少なくなって、取り出しにくくなってきたら、切り取り摘み部をつまんで引っ張りながら切り取り帯を切り取ってティシュボックスをボックス上部とボックス下部に分離した上で、ボックス下部の四角の対角する２ヵ所の折り込み部を内側に折り込む。上部を下部に覆いかぶせて元のティシュボックスの高さが約半分になる。元のティッシュボックスは高さだけが約半分になり、取り出し口等の機能は何ら損なわれることなく、深さが約半分に浅くなった分、ティシュが取り出し易くなる。
以上の構成よりなる、ティッシュの残量が少なくなったら高さが約半分になって取り出し易くなるティッシュボックス。
【考案の効果】
【０００５】  本考案により、現在ある、クリネックスローションティッシュ、エリエール贅沢保温、鼻セレブ・・など、ほとんどの市販のティッシュボックスに関して高さが約半分になり、ティッシュの残量が少なくなっても取り出し易くなる。
【考案を実施するための形態】
【０００６】    以下、本考案の実施の形態を説明する。
四角いティッシュボックスにおいて、四方側面壁の上下の真ん中位置を周回する幅を持った切り取り線即ち、切り取り帯（３）を設けて、ボックス上部（１）とボックス下部（２）に区分してあり、切取り帯（３）上の四つの角のいずれか１か所に切り取り摘み部（４）を設けてある。中のティッシュ量が少なくなって取り出しにくくなってきたら、切り取り摘み部（４）を摘まんで引っ張りながら切り取り帯（３）を切り取ってボックス上部（１）とボックス下部（２）に分離したうえで、ボックス下部（２）の四角の対角する２ヵ所の折り込み部（５）を内側に折り込む。ボックス上部（１）をボックス下部（２）に覆いかぶせて元のティッシュボックスは高さが約半分になる。元のティッシュボックスは高さだけが約半分に低くなって、取り出し口（６）等の機能は何ら損なわれることなく、深さが約半分に浅くなった分だけティッシュが取り出し易くなる。
本考案を使用するときは、ティッシュの残量がボックスの半分以下になり、取り出し口（６）から取り出しにくくなったときに、ボックス上部（１）、ボックス下部（２）の中間（真ん中）にある切り取り帯（３）の切り取り摘み部（４）から、ボックス上部（１）とボックス下部（２）を切り離し、ボックス下部（２）の四角の対角する２ヵ所の折り込み部（５）を内側に折り込み、ボックス上部（１）をボックス下部（２）に覆いかぶせる。
これにより、ボックスの高さが約半分になり、残量が少なくなったティッシュが取り出し易くなる。
【図面の簡単な説明】
【０００７】
【図１】  本考案の斜視図
【図２】  本考案において切り取り帯を切り取って、ボックス上部とボックス下部に分離した状態を示す斜視図
【図３】  本考案においてボックス下部の対角する２ヵ所の折り込み部を内側に折り込んだ状態を示す斜視図
【図４】  本考案の使用に際し、ボックス上部をボックス下部に覆いかぶせた状態を示す斜視図
【符号の説明】
【０００８】  （１）ボックス上部
（２）ボックス下部
（３）切り取り帯
（４）切り取り摘み部
（５）折り込み部
（６）取り出し口
【図１】
0003204985.tif 000003
【図２】
0003204985.tif 000004
【図３】
0003204985.tif 000005
【図４】
0003204985.tif 000006
(57)【要約】【課題】ペットフードの味、香り、食感等を維持、向上させるようにしたペットフードを提供する。【解決手段】主食粒１、１・・・とトッピング３、３・・・とをスティック包装袋５内に収納してなるペットフード。前記スティック包装袋５内には主食粒１、１・・・とトッピング３、３・・・とに加え、更に脱酸素剤９を収納する。脱酸素剤９は、スティック包装袋５内に収納するに適した大きさの袋１１に入れた状態でスティック包装袋５内に収納する。【選択図】図１
0003204970.tif 000002
【実用新案登録請求の範囲】
【請求項１】
主食粒とトッピングとをスティック包装袋内に収納してなるペットフード。
【請求項２】
前記スティック包装袋内には更に脱酸素剤を収納したことを特徴とする請求項１に記載のペットフード。
【考案の詳細な説明】
【技術分野】
【０００１】
本考案は、ペットフードに関するものであり、特にスティック包装袋内に収納したペットフードに係るものである。
【背景技術】
【０００２】
スティック包装袋内に収納されたゼリー食品は、例えば特開２０１３−１３５６３２号公報に示す如く、従来より知られている。
【０００３】
猫、犬等のペットの飲食に供されるペットフードにおいても、スティック包装袋内に収納されたものが一部に存在する。
【先行技術文献】
【特許文献】
【０００４】
【特許文献１】特開２０１３−１３５６３２号公報
【考案の概要】
【考案が解決しようとする課題】
【０００５】
スティック包装袋内に収納された従来のペットフードは、例えば魚肉、豚肉、牛肉、鶏肉、トウモロコシ等の主食粒のみにより形成されている。したがって、これをペットに与え続けた場合には、やがてペットが飽きてしまい、これを食さなくなるおそれがある。また、スティック包装袋に包装されたペットフードも時間の経過により劣化して味、香り、食感等が悪くなり、ペットが食さなくなることがある。
【０００６】
本考案は、従来のペットフードにおける上述の如き問題を解消し、ペットフードの味、香り、食感等を維持、向上させるようにしたペットフードを提供しようとしてなされたものである。
【課題を解決するための手段】
【０００７】
上記課題を解決するために、本考案は、下記のペットフードを提供する。
【０００８】
（１）主食粒とトッピングとをスティック包装袋内に収納してなるペットフード（請求項１）。
【０００９】
（２）前記スティック包装袋内には更に脱酸素剤を収納する（請求項２）。
【考案の効果】
【００１０】
［請求項１の考案］
スティック包装袋には主食粒のみならずトッピングも収納されている。トッピングはペットフードの味、香り、食感等を高め、ペットの食欲を増進させる。
【００１１】
なお、主食粒とトッピングとよりなるペットフードをスティック包装袋内に収納しているため、ペットが一回に飲食する量又はその数分の一に相当する量のペットフードを単一のスティック包装袋に収納することができ、飼育者はペットにペットフードを与える度に単数又は複数のスティック包装袋を開封し、新鮮なペットフードを取り出すことができることはいうまでもない。
【００１２】
［請求項２の考案］
スティック包装袋内に収納されている脱酸素剤は、密閉されたスティック包装袋内を脱酸素状態に維持することにより、収納されているペットフードの劣化を防止する。
【図面の簡単な説明】
【００１３】
【図１】図１は、本考案によるペットフードの一例を示す一部切欠平面図である。
【図２】図２は、ペットフードを食器に入れた状態を示す断面図である。
【考案を実施するための形態】
【００１４】
本考案によるペットフードは、主食粒１、１・・・とトッピング３、３・・・とをスティック包装袋５内に収納してなるものである。
【００１５】
主食粒１、１・・・は、例えば魚肉、豚肉、牛肉、鶏肉、トウモロコシ等をペットが食べやすい大きさの粒状に成形してなるものである。
【００１６】
トッピング３、３・・・としては、ペットの好みに応じて、例えば削り節、シラス、貝柱、チーズ、ホウレンソウ等の小片が用いられる。
【００１７】
スティック包装袋５は、一例として合成樹脂フィルムによりスティック状に形成してなるものである。スティック包装袋５の開封を容易ならしめるために、例えばスティック包装袋５の端部５ａ、５ｂにノッチ７を形成してもよいが、好ましい端裂抵抗を有する二軸延伸ポリエステルフィルム等の二軸延伸フィルムを少なくとも一層含む積層体からなる引裂き性に優れたスティック包装袋５を用いてもよい。
【００１８】
本考案においては、スティック包装袋５内に、主食粒１、１・・・とトッピング３、３・・・とに加えて、好ましくは脱酸素剤９を収納する。脱酸素剤９は、スティック包装袋５内に収納するに適した大きさの袋１１に入れた状態でスティック包装袋５内に収納する。脱酸素剤９としては、例えば鉄粉、アスコルビン酸を主体とするものを使用する。
【００１９】
ペットフードをペットに与える際には、１個又は複数個のスティック包装袋５を開封し、該スティック包装袋５内に収納されている主食粒１、１・・・とトッピング３、３・・・とを食器１３内に移し、これをペットに与える。なお、スティック包装袋５内に脱酸素剤９が収納されている場合には、該脱酸素剤９をペットに与えないことはいうまでもない。
【符号の説明】
【００２０】
１  主食粒
３  トッピング
５  スティック包装袋
５ａ  端部
５ｂ  端部
７  ノッチ
９  脱酸素剤
１１  袋
１３  食器
【図１】
0003204970.tif 000003
【図２】
0003204970.tif 000004
(57)【要約】      （修正有）【課題】ブロック等の垂直方向積み上げ工事において、垂直基準線目安となる垂直柱を、地面の状況に拘わらず短時間に構築するブロック積み工事用補助具を提供する。【解決手段】垂直設定柱１に一体となす台座２を設け、垂直設定柱の下部および台座の端に固定されたナット４を介して台付き全ねじボルト３を３箇所設置する。台付きねじボルトの平面位置は垂直設定柱の断面中心に１箇所、当該中心から相対９０度方向に、中心より離れて各１箇所とする。本器を目的の場所に置き、垂直設定柱に垂直器等をあてがって、台付きねじボルトを適宜回転させ垂直器の表示と合致させ垂直柱を構築する。【選択図】図１
0003204978.tif 000002
【実用新案登録請求の範囲】
【請求項１】
（イ）垂直基準線となる垂直設定柱の下部に一体となす台座を設ける
（ロ）台座には設定柱断面中心と、当該平面中心とした相対９０度、中心から離れた位置に各１箇所、合計３箇所の固定されたナットを介した台付き全ねじボルトを設ける。
以上の如く構成されたブロック積み工事用補助具
【考案の詳細な説明】
【技術分野】
【０００１】  本考案は、ブロック積み工事等において、垂直方向に積み上げるための垂直基準線を表示する工事用補助具に関するものである。
【背景技術】
【０００２】  従来は現場の地面に杭等を設置し、基準線となる垂直柱を垂直器等の表示と合致させ構築してきた。
【考案の概要】
【考案が解決しようとする課題】
【０００３】  杭等による垂直柱構築は長時間を要し、また堅固な地面、コンクリート、アスファルト舗装などの場合は構築困難となってしまう。本器は杭等を設置せず、垂直設定柱を現場に置くだけで前述の欠点を解決しようとするものである。
【課題を解決するための手段】
【０００４】  本考案は、垂直基準線となる垂直設定柱が自立するよう下部に一体となす台座を設ける。台座には垂直設定柱断面中心と、当該平面中心として相対９０度、中心から離れた位置に各１箇所、合計３箇所の固定されたナットを介した台付き全ねじボルトを設ける。垂直設定柱は３箇所の台付き全ねじボルトの上下調整により、不陸に応じて自立設置される。さらに垂直柱設定は、当該下部の台付き全ねじボルト接地点を支点として、他の相対９０度の台付き全ねじボルトを回すことにより、平面正十字方向傾き自在となり垂直器等の表示と容易に合致でき問題点を解決している。
【考案の効果】
【０００５】  本器を目的の場所に置くだけで地面の状況に左右されず短時間で基準線となる垂直柱を構築できる。
【図面の簡単な説明】
【０００６】
【図１】本考案実施例を示す正面図である。
【図２】本考案実施例を示す平面図である。
【考案を実施するための形態】
【０００７】  本器をブロック積み上げをする端部角直近に置き、垂直設定柱に垂直器等をあてがって台座に設置された３箇所の台付き全ねじボルトを適宜回して、垂直器等の表示と合致させ垂直柱を構築する。
【実施例】
【０００８】  以下、添付図面に従って一実施例を説明する。１はＬ形鋼等直定規的、堅牢な物とした垂直基準線となる垂直設定柱である。２は同様材質で台座とし、１の下部に１と一体となって設置される。３は台付き全ねじボルトで台座に４を介して３箇所設置され、各々の平面位置は１の断面中心に１箇所、当該中心として相対９０度、中心より離れた位置に各１箇所として地面に接して１を自立させる。４は台座に固定され、３を介するナットである。本器をブロック積み工事をする端部角直近に置き、１に垂直器等をあてがって３を適宜回転させ、１の傾きを垂直器等の表示と合致させ垂直柱を構築する。ブロック積み上げは１を基準線目安として工事を行う。また１に目盛りを施せば各積み段の目安として利用できる。
【符号の説明】
【０００９】  １  垂直設定柱
２  台座
３  台座付き全ねじボルト
４  固定ナット
【図１】
0003204978.tif 000003
【図２】
0003204978.tif 000004
(57)【要約】      （修正有）【課題】アルバム等冊子体を室内で絵画のように展示し、また手軽にフレームから取り出せるようにすることで常に人目に触れ、冊子体の閲覧の機会を増やすことができるフレームを提供する。【解決手段】フレームにはアルバム等冊子体の表紙用の窓部２、側面にアルバムの挿入口を有し、フレーム左右内側に紐止具３と結んだ紐４から構成される壁面への固定用部を有する。【選択図】図１
0003204980.tif 000002
【実用新案登録請求の範囲】
【請求項１】
冊子体の表示用窓及び冊子体挿入口を有する枠からなることを特徴とするフレーム。
【請求項２】
前記冊子体がアルバム等であることを特徴とする請求項１に記載のフレーム。
【請求項３】
前記枠の内周左右側面、挿入溝奥に固定された環を有する少なくとも２個の紐止具と環の間に通した紐で構成される壁面固定用部を有することを特徴とする請求項１又は請求項２に記載のフレーム。
【請求項４】
前記冊子体挿入口が前記枠の側面に設けられていることを特徴とする請求項１〜請求項３のいずれか１項に記載のフレーム。
【考案の詳細な説明】
【技術分野】
【０００１】本考案は、アルバム等の冊子体を保管と同時に室内で展示するためのフレームに関する。
【背景技術】
【０００２】通常のフレームは写真や絵画等を納めるもので、アルバムのような厚みのある冊子体を納めるものではなかった。
【考案の概要】
【考案が解決しようとする課題】
【０００３】通常のフレームでは写真を取り換えるのに破損しやすく、収まる枚数もアルバムほど多くない。通常アルバム等を保管する場所は、書棚や押入れなどであり人目につかず取り出しにくくその存在すら忘れてしまいそうになる。
【課題を解決するための手段】
【０００４】前記目的を達成するために考案者は冊子体自体を保管し展示することのできるフレームを考案するに至った。【０００５】すなわち本考案は、以下の構成を有する。（１）冊子体の表示用窓及び冊子体挿入口を有する枠からなることを特徴とするフレーム。【０００６】（２）前記冊子体がアルバム等であることを特徴とする（１）に記載のフレーム。【０００７】（３）前記枠の内周左右側面、挿入溝奥に固定された環を有する少なくとも２個の紐止具と環の間に通した紐で構成される壁面固定用部を有することを特徴とする（１）又は（２）に記載のフレーム。【０００８】（４）前記冊子体挿入口が前記枠の側面に設けられていることを特徴とする（１）〜（３）のいずれか１項に記載のフレーム、である。
【考案の効果】
【０００９】  本考案により思い出のアルバムを保管するとともに室内で絵画のように展示・インテリアとして使用することができ記念に作成したアルバムがしまいこまれたままだったり、取り出しにくかったりを解消することができるまた、構造が簡単であるため使いやすく、丈夫である。
【図面の簡単な説明】
【００１０】
【図１】本考案フレームの実施例を説明するための正面から見た図
【図２】本考案フレームの実施例を説明するための斜視図
【考案を実施するための形態】
【００１１】  図１は本考案フレームの実施例を説明するための正面から見た図である。
枠１は四角形状している。窓部２は挿入した冊子体の表紙を掲示させる。
壁面固定するため枠本体左右内周側挿入溝奥に固定された環を有する少なくとも２個の紐止具３と紐４から構成される。
左右両側に固定されたそれぞれの紐止具３の環の間に紐４を通し長さを調整し結び、壁面にある所定の取付角に懸吊する。
【００１２】  図２は本考案のフレームの実施例を説明するための斜視図である。
正面から見て枠本体の内周側、上下、左に連続した挿入溝５が形成されている。
使用時には正面右側の冊子体挿入口６よりアルバム等冊子体を通し挿入溝内に冊子体上下左側面端部を挿入し冊子体を支持可能としている。
【符号の説明】
【００１３】１  枠
２  窓部
３  紐止具
４  紐
５  挿入溝
６  冊子挿入口
【図１】
0003204980.tif 000003
【図２】
0003204980.tif 000004
(57)【要約】      （修正有）【課題】スイッチプレートの周辺の壁や壁紙の汚れを防ぐことができ、見た目の演出もできるシールを提供する。【解決手段】内側がスイッチプレート２の大きさに切り抜くことができるように切り込みが入っていて、スイッチ周りに貼ることができるシール１である。スイッチプレート２の外側にシール１を貼ることにより、汚れを隠したり、広がるのを防いだり、おしゃれに演出することができる。【選択図】図１
0003204949.tif 000002
【実用新案登録請求の範囲】
【考案の詳細な説明】
【技術分野】
【０００１】この実用新案登録は、各種形状の照明スイッチやコンセントの周囲に貼るシールです。
【背景技術】
【０００２】家庭やオフィスなどの照明スイッチやコンセントは長年にわたって、人の手がさわり続けるものである。
【実用新案登録の概要】
【実用新案登録が解決しようとする課題】
【０００３】それらの照明スイッチやコンセントを長年使用することにより、スイッチプレートの周辺の壁や壁紙が汚れてしまい、壁面でその部分だけ色が変わってしまう。
【課題を解決するための手段】
【０００４】スイッチプレートのまわりに汚れを防ぐシールを貼る。
【実用新案登録の効果】
【０００５】経年で汚れてしまったスイッチプレートまわりを、このシールを貼ることにより、汚れを隠したり、広がるのを防いだり、おしゃれに演出することができる。
【図面の簡単な説明】
【０００６】
【図１】この実用新案登録の一実施形態を示す正面図である。
【図２】多様なデザインを施すことができる。
【実用新案登録を実施するための形態】
【０００７】この実用新案登録の一実施形態を、図１に示す。
スイッチプレートより数十ミリメートル大きなシールで、内側にスイッチプレートの大きさに抜くことができるように切り込みを入れている。
【実施形態の効果】
【０００８】このシールを貼ることにより、壁や壁紙の汚れを防ぐことができ、見た目の演出もできる。
【符号の説明】
【０００９】（１）  汚れ防止シール
（２）  各種スイッチプレート（コンセントプレート）
【図１】
0003204949.tif 000003
【図２】
0003204949.tif 000004
【手続補正書】
【提出日】平成28年1月21日(2016.1.21)
【手続補正１】
【補正対象書類名】実用新案登録請求の範囲
【補正対象項目名】全文
【補正方法】変更
【補正の内容】
【実用新案登録請求の範囲】
【請求項１】
家庭やオフィスなどで、スイッチプレートまわりが経年で汚れてしまうことを防ぐための貼付けるシールです。これにより汚れを隠したり、広がるのを防いだり、おしゃれに演出することができる。
【手続補正書】
【提出日】平成28年3月29日(2016.3.29)
【手続補正１】
【補正対象書類名】実用新案登録請求の範囲
【補正対象項目名】全文
【補正方法】変更
【補正の内容】
【実用新案登録請求の範囲】
【請求項１】
家庭やオフィスなどで、電気やエアコンのスイッチプレートまわりが経年で汚れてしまうことを防いだり、すでに汚れてしまっているものを隠したり、おしゃれ感覚で部屋を演出するためのシールで、内側がそのスイッチプレートの大きさに切り抜くことができるように切り込みが入っていて、スイッチ周りに貼るシールです。
(57)【要約】      （修正有）【課題】背中に鞄やリュックサックを背負って雨合羽を着ても窮屈でなく動きやすい雨合羽を提供する。【解決手段】雨合羽１の背中の方に鞄やリュックサックが入る突き出し部２を設ける。【選択図】図１
0003204948.tif 000002
【実用新案登録請求の範囲】
【考案の詳細な説明】
【図１】
0003204948.tif 000003
【手続補正書】
【提出日】平成28年1月8日(2016.1.8)
【手続補正２】
【補正対象書類名】実用新案登録請求の範囲
【補正対象項目名】全文
【補正方法】変更
【補正の内容】
【実用新案登録請求の範囲】
【請求項１】
背中に鞄やリュックサックの入る容積を設けた雨合羽
【手続補正３】
【補正対象書類名】明細書
【補正対象項目名】全文
【補正方法】変更
【補正の内容】
【考案の詳細な説明】
【技術分野】
【０００１】本案は雨合羽に関するものである。
【背景技術】
【０００２】従来、背中に鞄やリュックサックの入る容積を設けた雨合羽はなかった。
【考案の概要】
【考案が解決しようとする課題】
【０００３】背中に鞄やリュックサックを背負って従来の雨合羽を着ると窮屈で動きにくかった。
【課題を解決するための手段】
【０００４】雨合羽の背中の方に鞄やリュックサックの入るための突き出し部の容積を設ける。
【考案の効果】
【０００５】背中に鞄やリュックサックを背負って本案の雨合羽を着たとき窮屈でなく動きやすい
【図面の簡単な説明】
【０００６】
【図１】本案の雨合羽の斜視図である。
【考案を実施するための形態】
【０００７】これまでに背中に鞄やリュックサックを背負って従来雨合羽を着ると窮屈で動きにくいものであった。本案の雨合羽（１）は同じような場合に着たとき窮屈でなく動きやすくしたものである。
雨合羽（１）の背中の方に鞄やリュックサックが入るための突き出し部（２）の容積を設ける。
【符号の説明】
【０００８】１  雨合羽
２  突出し部
【手続補正書】
【提出日】平成28年3月29日(2016.3.29)
【手続補正１】
【補正対象書類名】実用新案登録請求の範囲
【補正対象項目名】全文
【補正方法】変更
【補正の内容】
【実用新案登録請求の範囲】
【請求項１】
背中に鞄やリュックサックの入る容積の突き出し部を設けた雨合羽。
(57)【要約】      （修正有）【課題】投体と的部とを備える遊具において、持ち運ぶのが容易な遊具を提供する。【解決手段】手で投げる事が可能な投体１０と、敷設され、投体１０を着地させる的となる的部２０と、を備え、的部２０は、同一形状の複数の部材２１が互いに隣接して配置され、一体的な的となる。各部材は、他の部材と２辺が接する本体２１０と、本体に接続され、接続された部分２１２で折り曲げられることで、本体に重なった状態にすることが可能な補助部２１１と、を備えるのが好ましい。【選択図】図１
0003204755.tif 000002
【実用新案登録請求の範囲】
【請求項１】
手で投げる事が可能な投体と、敷設され、投体を着地させる的となる的部と、を備える遊具であって、的部は、同一形状の複数の部材が互いに隣接して配置され、一体的な的となる遊具。
【請求項２】
各部材は、他の部材と２辺が接する本体と、本体に接続され、この接続された部で折り曲げられることで、本体に重なった状態にすることが可能な補助部と、を備える請求項１の遊具。
【考案の詳細な説明】
【技術分野】
【０００１】手で投げる事が可能な投体と、敷設され、投体を着地させる的となる的部と、を備える遊具に関する。
【背景技術】
【０００２】特許文献１には、略正方形の布体１１あるいは適宜薄手の板体（図示せず）の略中央部に輪体を数条印刷又は刻設した標的２２と、略球形であってこの球形の内部に各種の充填物５５を内蔵した異なる重さと異なる形状を有するお手玉３３ａ，ｂ、ｃ、ｄと前記標的２２との組合せにてなることを特徴とする上肢体運動具が提案されている。
【先行技術文献】
【特許文献】
【０００３】
【特許文献１】実開平０３−６０９７５号公報
【考案の概要】
【考案が解決しようとする課題】
【０００４】しかしながら、特許文献１の標的は、お手玉の的となる為比較的大きく、持ち運ぶのが困難であった。本考案は、持ち運ぶのが容易な遊具を提供することを目的とする。
【課題を解決するための手段】
【０００５】手で投げる事が可能な投体と、敷設され、投体を着地させる的となる的部と、を備える遊具であって、的部は、同一形状の複数の部材が互いに隣接して配置され、一体的な的となる遊具。【０００６】手で投げる事が可能な投体と、敷設され、投体を着地させる的となる的部と、を備える遊具であって、的部は、同一形状の複数の部材が互いに隣接して配置され、一体的な的となる遊具。
【考案の効果】
【０００６】本考案によれば持ち運ぶのが容易な遊具を提供する。
【図面の簡単な説明】
【０００７】
【図１】本考案の第１実施形態に係る遊具を説明する図である。
【図２】本考案の第１実施形態に係る部材を説明する図である。
【図３】本考案の第１実施形態に係る部材を説明する図である。
【図４】本考案の第２実施形態に係る遊具を説明する図である。
【図５】本考案の第２実施形態に係る部材を説明する図である。
【考案を実施するための形態】
【０００８】遊具１は、的部２０と、手で投げる事が可能な投体と、敷設され、投体を着地させる的となる的部、を備え、的部２０は、同一形状の複数の部材２１が互いに隣接して配置され、一体的な的となる。
【０００９】各部材２１は、他の部材２１と２辺が接する本体２１０と、本体２１０に接続された（折り曲げ辺２１２）で折り曲げられることで、本体２１０に重なった状態にすること可能な補助部２１１と、を備える。
【００１０】図１に示す第１実施形態の遊具１を使ったゲームのルールを説明する。
的部２０に示された数字の奇数１、３、５、７、９だけ（なお、奇数１，３，５，７，９に限らず，０から９までの一ケタ数字全部でもよい）を使って得点を競う遊びである。
それぞれの数字のところにお手玉（投体１０）を投げ入れるとその数だけ得点になる。
１と１、１と７、３と３、５と５、７と７、９と９が揃えばそれぞれ１０点の褒美、１と１は元日、１と７は人日、３と３は雛祭り、５と５は子どもの日、７と７は七夕、９と９は重陽というペアとなる。元日は一年の始めの日、その他のものは五節句といわれ（時の流れと共に呼び名が変わっている日もあるが）古くから目出度い日として祝った祝日である。
【００１１】的部２０の各数字のスペース（図中線で囲まれた範囲であり、線、数字、絵柄以外の部分）に丁度上手くはいったものだけ得点になり、上記のペアが揃ったものには各々１０点褒美が加算され、その合計等も得点表に自分で記入し、計算をする。計算が間違っていれば１０点減点になる。右手なげ、左手投げ、それぞれの合計点を合算して総合計を算出する。相手の陣地（相手側に向いた数字が示されたスペース）に投げ入れたものは、その数だけ返料となる。そして、五節句が揃った場合は３０点の褒美、元日も達成して６種類が揃ったら５０点の褒美、差し引きの上、総合計が一番高い人が優勝となる。また、その都度折れ線グラフに記入して、その推移を見て楽しみ、又はより良い得点をだせるようその指針とする。
【００１２】次に、図４に示す第２実施形態の遊具１を使ったゲームのルールを説明する。
的部２０に示されたあいうえお、かきくけこ、さしすせそ、等の５０音（なお、ひらがなの５０音に限らず、カタカナやアルファベット等の他の文字でもよい）を使って、その箇所にお手玉（投体１０）を投げ入れて得点を競う遊びである。例えば競技１の七福神めぐりはどこの地方でもある七福神、それを御祭している神社仏閣を一つのカード（図無し）に記入する。例えば弁財天ならこのカードにひらがなで「べんざいてん弁財天●○神社」と記入する。そして、その地方の地図（図示無し）の所在地に駒を置き、的部２０に示された各ひらがなを囲う箇所にお手玉を投げ入れる（例えば、「べんざいてん」であれば、「へ」、「ん」、「さ」、「い」、「て」、「ん」の順に、お手玉を投げ入れる。）それが達成されたら駒を次の目標の箇所（例えば、ほていそん布袋尊▼□寺）に進める。個人戦でも団体戦でも遊べる。脳の活性化を促進し健康増進を図る。又これを機にその神社仏閣に足を運んでみようと言う人達も現れ、地方の活性化に寄与可能である。
【符号の説明】
【００１３】    １  遊具
１０  投体
２０  的部
２１  部材
２１０  本体
２１１  補助部
２１２  折り曲げ辺（接続された部分）
【図１】
0003204755.tif 000003
【図２】
0003204755.tif 000004
【図３】
0003204755.tif 000005
【図４】
0003204755.tif 000006
【図５】
0003204755.tif 000007
(57)【要約】      （修正有）【課題】体力を必要とせずに、肩関節や肩甲骨部位の固着を揉み解す就寝式整体具を提供する。【解決手段】底板の中央上部に、水平回転アームの一端を支える回転主軸を設け、そのアームの他端にも、更にその上部に設けられる回転テーブルの回転軸を設けた構造であって、回転テーブルが水平に自転しつつ、併せて水平回転アーム長を半径とする公転をも可能にする手段を設けた。【選択図】図１
0003204756.tif 000002
【実用新案登録請求の範囲】
【請求項１】
底板の中央上部に、水平回転アームの一端を支える回転主軸を設け、そのアームの他端にも、更にその上部に設けられる回転テーブルの回転軸を設けた構造であって、回転テーブルが水平に自転しつつ、併せて水平回転アーム長を半径とする公転をも可能にする手段を設けたことを特徴とする就寝式整体具
【考案の詳細な説明】
【技術分野】
【０００１】  本考案は、就寝中の寝返りや身動き動作による体重移動を活用して、無意識に本器具の回転式テーブルをスライドさせ事によって生ずる捻り効果を活用して、肩間接や肩甲骨部位の固着を揉み解すものである。
【背景技術】
【０００２】  従来、加齢や生活習慣によって姿勢が悪くなっても、自身での改善は困難である、ストレッチ体操は効果が有っても、暇と体力が必要で長続きしない。
【考案の開示】
【課題を解決するための手段】
【０００３】  自転と公転機能を備えた回転テーブル上に肩甲骨部位を乗せて、身動きや寝返りをした場合、身体は直線的な動きをするのに対して、回転テーブルは自転と公転しか出来ないため、肩甲骨部位に加えられた体重と動きによって回転力が発生する。
この原理を利用した本器具を用いて肩関節や肩甲骨部位等の固着の解消を図ります。
【考案の効果】
【０００４】  人は毎日８時間程度床に就く、何もしないで寝ていても積極的に本器具を活用することによって、暇や、体力を必要とせずに肩甲骨部位等固着の解消が図られます。
【図面の簡単な説明】
【０００５】
【図１】  本器の構造を示すものです。
【図１】
0003204756.tif 000003
(57)【要約】      （修正有）【課題】ネールアートを施した手で炊事や洗濯などの家事作業を行う場合に、ネールアートの損傷を防ぎ、かつネールアートによる食品等への汚染を防ぐ目的で使用する家庭用のゴム手袋やビニール手袋に関して、容易に装着、脱着ができ、かつ装着中の作業性を著しく低下させない構造の手袋を提供する。【解決手段】親指袋１と小指袋２は其々独立した指袋を有し、人差指と中指と薬指の三本の指は一括りにした指袋３を有する、三つ指袋構造の手袋である。【選択図】図１
0003204754.tif 000002
【実用新案登録請求の範囲】
【請求項１】
親指と小指は各々独立した指袋を有し、人差指と中指と薬指の三本を一括りにした指袋を有することを特徴とした手袋
【請求項２】
指袋の先端部をネールアートの爪先同様に尖らせた形状を有することを特長とした請求項１に記載した手袋
【請求項３】
手の挿入口付近にフック用の穴を有することを特徴とした請求項１又は２に記載した手袋
【考案の詳細な説明】
【技術分野】
【０００１】  本考案は、三つ指袋を有することを特徴とする、家庭用のゴム手袋及びビニール手袋（以下ゴム手袋等と称す）に関するものである。
【背景技術】
【０００２】  ネールアートを施した手で家事を行う場合、その保護のために一般家庭用のゴム手袋等を装着して行うことが多い。
【考案の概要】
【考案が解決しようとする課題】
【０００３】  ネールアートを施した手に、一般家庭用の５本指のゴム手袋等を装着したり脱着する動作は、施したネールアートを損傷しないように細心の注意が必要であり、またネールアートそのものが引っかかったりして面倒なものである。
【課題を解決するための手段】
【０００４】  本考案は、親指と小指は其々独立した指袋を有し、人差指と中指と薬指の三本の指は一括りにした指袋を有する三つ指袋構造の手袋とすることで、上述の課題を解決するものである。
【考案の効果】
【０００５】  本考案の手袋は、ネールアートを施した手に容易に装着、脱着できるばかりか、親指と小指を独立した指袋とすることで、装着した手指が比較的自由に動くことができ、家事全般の作業を支障なく行うことができる。
【図面の簡単な説明】
【０００６】
【図１】ネールアート保護用三つ指手袋の実施例を示す概念図である。
【考案を実施するための形態】
【０００７】  本考案は、図１に示す通り、親指袋１と小指袋２を有し、人差指と中指と薬指の三本は一括りにした指袋３を有する三つ指袋構造の手袋であり、左右対称形の左手用と右手用がある。
【０００８】  指袋の先端部４は、指先にフィットし易くするために、ネールアートを施した爪先の形に合うように相応に尖らせた形状にする。
【０００９】  手指の挿入口の付近には、フック用の穴５を設けて、引っ掛けて保管できるようにし、必要時に直ぐに取り出せ、使用後の保管を便利にする。
【００１０】  手袋の素材は、布又は天然ゴム、ニトリルゴム、塩化ビニル樹脂、ポリウレタン樹脂、ポリエチレン樹脂、その他の合成樹脂を原材料として製作され、一般家庭用以外の業務用、医療用などの用途にも使用できる。
【実施例】
【００１１】  本考案の手袋は、三つ指袋構造であるため一般的な５本指構造のものに比べてネールアートを施した手に装着したり脱着したりすることが  でき、かつネールアートの損傷を防ぐことができる。【００１２】  本考案の手袋は、小指を独立させたことで、装着中の手指全体の動きが比較的にスムーズで自然に近く、機能性と作業性を向上することができる。【００１３】  衛生面では、ネールアートの素材に有害物質が使われている場合でも、炊事の際に本手袋を装着することで食物への汚染を防ぎ、食中毒の予防ができる。【００１４】  本考案の手袋は、爪マニキュアの剥脱防止、手指切創傷の防滴保護、接触アレルギー予防などに有効である。
【産業上の利用可能性】
【００１５】  本考案の手袋は、安全衛生確保のための作業用保護手袋や感染予防のための医療用手袋にも利用できる。
【符号の説明】
【００１６】  １  親指の指袋
２  小指の指袋
３  人差指、中指、薬指一括りの指袋
４  指袋先端部
５  フック用の穴
【図１】
0003204754.tif 000003
(57)【要約】      （修正有）【課題】自転車のカギをなくした時、又はパンクした時にタイヤを固定し、修理地まで移動することができる自転車の移動用補助車を提供する。【解決手段】自転車の車輪を補助車本体１のゴムを開き車輪の下部にはめ込み、爪付き結束バンド６で締めて取り付ける事により容易に移動する事が出来る。なお、結束バンドは爪付き結束バンドの他、マジックテープ（登録商標）、ゴムバンド、皮、又は樹脂、自材ステンレスバンド等、使用可能である。【選択図】図１
0003204758.tif 000002
【実用新案登録請求の範囲】
【請求項１】
本考案の自転車の移動用補助車は、車輪の回転不能状態の自転車を移動させる手段であって、下部にキャスターを取り付けた本体と、その本体に取り付けた自転車のタイヤ押さえ具と、爪付き結束バンドから成り、前記車輪を前記タイヤ押さえ具に装着することを特徴とする自転車の移動用補助車。
【請求項２】
前記結束バンドは、爪付き結束バンドである事を特徴とする請求項１記載の自転車の移動用補助車。
【考案の詳細な説明】
【技術分野】
【０００１】  本考案は、走行する事が困難な状態になった車輪を補佐し簡単に移動する事が出来る補助車に関するものである。
【背景技術】
【０００２】  通勤、通学時においてカギをなくした時、又はパンク状態の自転車を持ち上げて目的地まで移動していた。
【先行技術文献】
【特許文献】
【０００３】
【特許文献１】  実開平５−５６３６号公報
【考案の概要】
【考案が解決しようとする課題】
【０００４】  重い自転車の車体を持ち上げて移動するのは多大な労力を要し身体的負担になっていた。従って本考案品の自転車の移動用補助車を用いることにより容易に移動することができ、前述の課題を解決しようとするものである。
【課題を解決するための手段】
【０００５】  本考案は、自転車のカギをなくした時、又はパンクした時にタイヤに固定した補助車を用いて移動できるようにすることにより、課題を解決している。
【考案の効果】
【０００６】  上述の様に、本考案の自転車の移動用補助車は自転車のタイヤに取り付けることにより容易に移動できるのは勿論、使用しない時は自転車のフレームに取り付ける事によってなくならない。また、自転車のフレームに取り付ける事によって荷物になる心配がない。
【図面の簡単な説明】
【０００７】
【図１】本考案品である自転車の移動用補助車の斜視図である。
【図２】本考案品の正面図である。
【図３】本考案品を自転車の車輪に取り付けた図である。
【図４】本考案品を使用しない時にフレームに取り付けた図である。
【考案を実施するための形態】
【０００８】  車輪を包み込む形状のゴムを使い本体を平板で挟み、キャスターとボルト締めで爪付き結束バンドを取り付けたものを回転不能のタイヤに固定する。
【実施例】
【０００９】  以下、添付図面に従って一実施例を説明する。補助車本体１は、車輪を包み込む形状のゴムを平板３で挟みキャスター５とボルト締め４で固定している。キャスター５は２つ取り付けられているため移動時も安定している。自転車のカギをなくした時、又はパンクした時は、自転車のタイヤ押さえ具２のゴムを開いて車輪を挟み爪付き結束バンド６で締め付けて固定する。なお、爪付き結束バンド本考案の物に限定する必要なく、例えば面ファスナー、マジックテープ（登録商標）、ゴムバンド、皮、又は樹脂、自材ステンレスバンド等、使用可能である。自転車のタイヤ押さえ具２を囲む形で取り付けられている爪付き結束バンド６は、爪が付いているため簡単に取り外す事が出来る。スポーク固定爪付き結束バンド７は、自転車を移動する時にスポークが動かないように固定するためのものである。又、補助車本体を使わない時はフレームに取り付けておく。
【符号の説明】
【００１０】  １  補助車本体
２  自転車のタイヤ押さえ具
３  平板
４  ボルト締め
５  キャスター
６  爪付き結束バンド
７  スポーク固定爪付き結束バンド
【図１】
0003204758.tif 000003
【図２】
0003204758.tif 000004
【図３】
0003204758.tif 000005
【図４】
0003204758.tif 000006
(57)【要約】【課題】ラッピング用の紙を重ねて保持するラッピング用品において、紙を取り出す際に、確実に一枚ずつ皺にならずに取り出すことができ、落下などによっても紙が散乱しないようにすることを課題とする。【解決手段】ラッピング用品（Ｘ）として、複数の短冊状の紙からなるラッピング紙（１０）を重ね、一端側を分離可能に接着固定することで冊子状に綴り形成する。前記ラッピング紙（１０）は和紙により形成したり、一面に、水引、熨斗、リボンの内の少なくとも一つの画像を表したりすることが好適である。【選択図】  図１
0003204711.tif 000002
【実用新案登録請求の範囲】
【請求項１】
複数の短冊状の紙からなるラッピング紙を重ね、一端側を分離可能に接着固定することで冊子状に綴ったラッピング用品。
【請求項２】
前記ラッピング紙は和紙により形成される請求項１に記載のラッピング用品。
【請求項３】
前記ラッピング紙の一面には、水引及、熨斗、リボンの内の少なくとも一つの画像が表されるものである請求項１又は２に記載のラッピング用品。
【考案の詳細な説明】
【技術分野】
【０００１】
本考案は、物を包装するために使用する紙を複数束ねたラッピング用品に関する。
【背景技術】
【０００２】
商品や贈り物の装飾に際して、装飾などが施されたラッピング用の紙で、包装することが広く行われている。このようなラッピング用の紙は、通常、重ねられた状態で袋に封入されており、使用に際しては、このような袋から一枚ずつ取り出して使用することが一般的である。
【考案の概要】
【考案が解決しようとする課題】
【０００３】
しかし、このように多数重ねたラッピング用の紙を袋内から取り出す場合、紙を取り出す過程で重なった下の紙も一緒に出てきたり、袋に引っ掛かって皺になったりするといった問題が生じる。また、誤って袋を床に落とすと、場合によっては内部の紙が飛び出して床に散乱することもある。
本考案は、このような問題に鑑みて、ラッピング用の紙を重ねて保持するラッピング用品において、紙を取り出す際に、確実に一枚ずつ皺にならずに取り出すことができ、落下などによっても紙が散乱しないようにすることを課題とする。
【課題を解決するための手段】
【０００４】
上記課題を解決するために、本考案は、次のような構成を有する。
請求項１に記載の考案は、複数の短冊状の紙からなるラッピング紙を重ね、一端側を分離可能に接着固定することで冊子状に綴ったラッピング用品である。
請求項２に記載の考案は、前記ラッピング用品において、前記ラッピング紙は和紙により形成されるものである。
請求項３に記載の考案は、前記ラッピング用品において、前記ラッピング紙の一面に、水引、熨斗、リボンの内の少なくとも一つの画像が表されるものである。
【考案の効果】
【０００５】
以上のような構成により、本考案は、次のような効果を奏する。
請求項１に記載の考案は、複数のラッピング紙が一端側で分離可能に固定された冊子状となっているので、一枚だけを簡単に分離させることができ、周りを囲む袋のようなものがないので分離させる際に皺になるようなこともない。さらに、ラッピング紙同士が冊子状となって互いに接合しているので、落下等させてもラッピング紙が散乱することを抑制することができる。
請求項２に記載の考案は、ラッピング紙を和紙で形成することで、包装対象物に柔らかな手触りや、高級感を付与することができる
請求項３に記載の考案は、水引、熨斗、リボンの少なくとも一つの画像をラッピング紙に表示することで、贈り物などに使用するのに好適なものとすることができる。
【図面の簡単な説明】
【０００６】
【図１】実施形態に係るラッピング用品の斜視図である。
【図２】ラッピング紙の一例を示す表面図である。
【図３】実施形態に係るラッピング用品の綴じ部近傍の拡大側面図である。
【考案を実施するための形態】
【０００７】
以下、本考案の実施の形態について、図面を参照しながら説明する。
図１に本実施形態に係るラッピング用品Ｘの斜視図を示す。ラッピング用品Ｘは複数のラッピング紙１０を台紙２０と表紙３０との間に冊子状に綴じたものである。ラッピング紙１０は短冊状の和紙から形成される。図２にラッピング紙１０の表面の一例を示す。ラッピング紙１０の表面には、水引を表す画像１１が印刷により表示されている。台紙２０はラッピング紙１０と同じ大きさ形状の厚紙により形成される。
図３にラッピング用品Ｘの綴じ部の部分拡大側面図を示す。複数のラッピング紙１０の下に台紙２０を重ねた状態で一端側が特殊配合の糊４０によって、一端側において互いに固定される。当該糊４０はラッピング紙１０を他端側に引っ張ったときに、ラッピング紙１０が破れない程度の一定の力によってラッピング紙１０を分離できる程度の力でラッピング紙を固定するような接着力に設定されている。
表紙３０は、短辺はラッピング紙１０及び台紙２０の短辺と同じ長さを有する短冊状のやや厚手の紙からなる。表紙３０の長辺は、図３に示すように一端側が台紙の裏面の一端側に接着固定され、他端側が綴じられたラッピング紙１０の端面を回り、最上面のラッピング紙１０の他端側と重なるような長さに設定されている。
【０００８】
次に、以上のような構成を有するラッピング用品Ｘの使用方法について説明する。使用者は、ラッピング用品Ｘの表紙３０を開いて、一番上に位置するラッピング紙１０の他端側を持ち、一定の力で他端側に引っ張る。これによって、一番上のラッピング紙を分離させることができるので、分離したラッピング紙１０を用いて、贈り物等を包むことで装飾を施す。ラッピング紙１０には水引の画像１１が表されているので、贈り物であることを容易に示すことができる。以下、同様に上から一枚ずつラッピング紙１０を分離して、任意の対象物を包んでいく。
このように、ラッピング用品Ｘは、順次ラッピング紙１０を上から分離させていくことができるので使い勝手がよく、使用していない状態において、ラッピング紙１０は互いに固定されるので、収納性、可搬性に優れ、落下等させてもラッピング紙が分散することもない。
【０００９】
なお、上記実施形態においては、ラッピング紙１０の表面に水引の画像を表しているが、リボンや熨斗などの画像を表したり、その他の図柄や文字などを表したり等、適宜変更することが可能である。
【符号の説明】
【００１０】
Ｘ  ラッピング用品
１０  ラッピング紙
１１  画像
２０  台紙
３０  表紙
４０  糊
【図１】
0003204711.tif 000003
【図２】
0003204711.tif 000004
【図３】
0003204711.tif 000005
(57)【要約】      （修正有）【課題】容易に任意の角度でスマートフォンを自立させることが出来るスマートフォンケースを提供する。【解決手段】自立式スマートフォンケース２の画面にかぶせる側の内側に面ファスナーのループ部３を横一列に付け、スマートフォンの側面のケース部分の一部に前記面ファスナーと結合する面ファスナーのフック部４を付けたことを特徴とする。【選択図】図１
0003204747.tif 000002
【実用新案登録請求の範囲】
【請求項１】
面ファスナーを付けることによりスマートフォンを自立させるスマートフォン用ケース。
【考案の詳細な説明】
【技術分野】
【０００１】  この考案は、面ファスナーによって、容易に任意の角度でスマートフォンを自立させることが出来るスマートフォンケースに関するものである。
【背景技術】
【０００２】  自立式スマートフォンケースはあるが、スマートフォンが重いことを利用しているだけで角度調節が出来ないものや、ゴムをすべり止めとして使用し、段階的に角度設定が出来るものであった。
【考案の開示】
【考案が解決しようとする課題】
【０００３】  自立式スマートフォンケースを使う時、任意に角度を設定出来ない。
【課題を解決するための手段】
【０００４】  自立式スマートフォンケースの画面にかぶせる側の内側に面ファスナーを横一列に付け、それに結合する面ファスナーをスマートフォンの側面のケース部分の一部に付ける。
【考案の効果】
【０００５】  自立式スマートフォンケースでスマートフォンを自立させる時、容易に任意の角度に設定できる。
【考案を実施するための最良の形態】
【０００６】  自立式スマートフォンケースの画面にかぶせる側の内側に面ファスナーのループ部を横一列に付け、スマートフォンの側面のケース部分の一部に面ファスナーのフック部を付ける。
【図面の簡単な説明】
【０００７】
【図１】本考案の斜視図
【図２】本考案の使用状態を示す斜視図
【符号の説明】
【０００８】１  スマートフォン
２  スマートフォンケース
３  面ファスナー（ループ部）
４  面ファスナー（フック部）
【図１】
0003204747.tif 000003
【図２】
0003204747.tif 000004
【手続補正書】
【提出日】平成28年3月20日(2016.3.20)
【手続補正１】
【補正対象書類名】実用新案登録請求の範囲
【補正対象項目名】全文
【補正方法】変更
【補正の内容】
【実用新案登録請求の範囲】
【請求項１】
自立式スマートフォンケースの画面にかぶせる側の内側に面ファスナーのループ部を横一列に付け、スマートフォンの側面のケース部分の一部に前記面ファスナーと結合する面ファスナーのフック部を付けたことを特徴とするスマートフォンケース。